(57)【特許請求の範囲】
【請求項１】
バルコニーの腰壁に、腰壁を挟む屋内側と屋外側とを連通する開口部が設けられ、
この開口部内を収納部として避難はしごが収納され、
この開口部は、その屋内側と屋外側とがそれぞれ蓋パネルで開閉可能に塞がれ、
屋内側の蓋パネルは、バルコニーにおいて腰壁から取り外すことができるようになされて、開口部の屋内側を開くことができるようになっており、
屋外側の蓋パネルは、その下縁部が開口部の下縁部に枢着されていて、屋内側から開口部を通じて屋外側に向けて押すことにより、屋外側に倒れるよう回転して、腰壁から垂れ下がった状態となることができるようになされて、開口部の屋外側を開くことができるようになっており、
内外蓋パネルを開いてこの開口部から避難はしごを下に降ろすことができるようになっていると共に、
開口部が、人の通過を許容するサイズのものからなっていて、この開口部を通じて、避難できるようになっており、
開口部内又はその近傍部に安全用の掴み部が備えられていることを特徴とする避難はしごを備えたバルコニーの構造。
【発明の詳細な説明】
【０００１】
【発明の属する技術分野】
本発明は、避難はしごを備えたバルコニーの構造に関する。
【０００２】
【従来の技術】
複数階建ての集合住宅では、バルコニーに避難はしごが備えられ、避難時にバルコニーから屋外に出ることができるようになっている。従来、この避難はしごの設置のために、図３（イ−１）に示すように、バルコニー５１の床５２に設けられた避難ハッチ５３に避難はしごを内蔵させたものが提供されている。このタイプでは、避難時に、図３（イ−２）に示すように、ハッチ５３を開き、はしご５４を下の階のバルコニー５１へ降ろせるようになっていて、各階のバルコニー５１…を通じて下に降りていくことができるようになっている。
【０００３】
また、図３（ロ）に示すように、避難はしごユニット５５をバルコニー５１の床面５２の上に設置しておくタイプのものも提供されている。このタイプでは、避難時に、ユニット５５からはしご５４を取り出し、はしご５４をバルコニー５１の腰壁５７に掛け、バルコニー伝いではなく直接に地上に降りることができるようになっている。
【０００４】
【発明が解決しようとする課題】
しかしながら、ハッチ内蔵式のものでは、避難はしごを内蔵するために、ハッチ５３がバルコニー５１の床面高さ位置から７０ｍｍほど上方に突出してしまい、日常生活の中でこの突出が非常に邪魔である。しかも、避難時には、上下階のバルコニー５１…を順次に伝って下に降りていかなければならず、緊急時には避難に間に合わないおそれもある。特に、上層階の住人にとっては、下に降りるのにかなりの時間を要してしまう。
【０００５】
また、避難はしごユニット５５によるものでは、ユニット５５それ自体が、例えば７００ｍｍ＊４５０ｍｍ＊２５０ｍｍなどと、かなり大きな立体サイズのものであるため、バルコニー５１が狭められてしまい、また、はしご５４の重量も１０ｋｇ以上あるのが一般的で、これを、避難時に、腰壁５７を越えて地上に降ろすのは、男性であっても大変な労力を要する。
【０００６】
本発明は、上記のような従来の問題点に鑑み、避難はしごの設置でバルコニーの床に突出を生じさせたり、バルコニーが狭められたりすることがなく、また、避難はしごを直接地上に降ろすことができて速く安全に避難することができ、更に、避難はしごを容易に地上に降ろすことができる、避難はしごを備えたバルコニーの構造を提供することを課題とする。
【０００７】
【課題を解決するための手段】
上記の課題は、バルコニーの腰壁内に避難はしご収納部が形成され、この収納部に避難はしごが収納されていることを特徴とする避難はしごを備えたバルコニーの構造によって解決される。
【０００８】
この構造では、避難はしごがバルコニーの腰壁に内蔵されているので、バルコニーの床に突出を生じさせたり、バルコニーが狭められたりすることがない。
【０００９】
このバルコニー構造において、バルコニーの腰壁に、腰壁を挟む屋内側と屋外側とを連通する開口部が設けられ、
この開口部内を収納部として避難はしごが収納され、
この開口部は、その屋内側と屋外側とがそれぞれ蓋パネルで開閉可能に塞がれ、
内外蓋パネルを開いてこの開口部から避難はしごを下に降ろすことができるようになっているのがよい。
【００１０】
このバルコニー構造では、避難はしごが腰壁に内蔵されており、この腰壁から避難はしごを降ろすことができるようになっているので、避難はしごを地上に直接に降ろすことができて、避難時に速く地上に避難することができる。
【００１１】
しかも、開口部を通じて避難はしごを下に降ろせるようになっているので、避難はしごを腰壁の上を越えさせる必要がなく、はしごを容易に下に降ろすことができる。
【００１２】
加えて、避難はしごの収納される開口部内は、腰壁の内外方向から蓋で閉じられているので、普段は避難はしごを隠すことができ、また、避難はしごが雨などに曝されてしまうのを防ぐことができる。
【００１３】
上記の開口部が、人の通過を許容するサイズのものからなり、この開口部を通じて、避難できるようになっている場合は、腰壁の上を越えてはしごに乗り移る必要がなく、バルコニーからはしごへの乗り移りを安全にかつ容易に行うことができる。
【００１４】
上記の開口部が上に開放されるものである場合は、開口部を通じてはしごを楽に降ろすことができるし、開口部を通じたはしごへの乗り移りを楽に行うことができる。
【００１５】
上記のバルコニー構造において、屋外側の蓋パネルが、屋内側から開口部内を通じて開けることができるようになっている場合は、屋外側の蓋パネルをバルコニーの側から安全に開くことができる。
【００１６】
また、開口部内又はその近傍部に安全用の掴み部が備えられている場合は、この掴み部を掴んで避難はしごを安全に降りていくことができる。
【００１７】
【発明の実施の形態】
次に、本発明の実施形態を図面に基づいて説明する。
【００１８】
図１及び図２に示す実施形態のバルコニー１において、２はバルコニーの床、３は腰壁である。なお、４は手摺りで、腰壁３の上方に備えられている。
【００１９】
腰壁３には、腰壁３を挟む屋内側と屋外側とを連通する方形状の開口部５が設けられており、この開口部５内を収納部として避難はしご６が収納されている。避難はしご６は、例えば、折り畳み式、縄はしご式、伸縮式などの各種タイプのものからなっていてよい。
【００２０】
そして、この開口部５は、その屋内側と屋外側とがそれぞれ、蓋パネル７，８で開閉可能に塞がれており、これら内外蓋パネル７，８を開いてこの開口部５から避難はしご６を下に降ろせるようになっている。
【００２１】
屋内側の蓋パネル７は、図１（イ）に示すように、腰壁３から取り外して開くことができるようになっており、屋内側から開口部５へのアクセスの際の邪魔にならないよう、開口部５から離れたところに退けておくことができるようになっている。
【００２２】
また、屋外側の蓋パネル８は、図１（ロ）、図２（イ）に示すように、その下縁部が開口部５の下縁部に枢着されていて、この屋外側の蓋パネル８を屋内側から屋外側へと押すことで、屋外側に倒れるように回転して開くようになっている。
【００２３】
そして、腰壁３の開口部５の左右両脇には縦向きの掴み部９，９が取り付けられている。図面では、腰壁３の屋外側の面に取り付けられているが、開口部５内の側面に取り付けられていてもよいし、屋内側の面に取り付けられていてもよい。
【００２４】
上記のバルコニー１では、避難はしご６が腰壁３内に内蔵されているから、床面２を突出のない平坦面にすることができるし、床面上に避難はしごを置いておく設置スペースを確保しておく必要もなく、普段の生活において、バルコニーを安全にかつ広々と使うことができる。
【００２５】
避難時は、図１（イ）に示すように、バルコニー１において、屋内側から、蓋パネル７を取り外して開口部５を開く。屋内側の蓋パネル７は取り外せるようになっているから、邪魔にならないところによけておくとよい。
【００２６】
そして、屋内側から開口部５を通じて屋外側の蓋パネル８を屋外側に押す。すると、屋外側の蓋パネル８は、図１（ロ）に示すように、その下縁部を回転の中心として、屋外側へと倒れていき、図２（イ）に示すように、腰壁３から垂れ下がった状態となって、開口部５が全開される。屋外側の蓋パネル８は、開口部５が全開するように下方によけられ、蓋パネル８それ自体の自重により、全開状態が維持されるから、はしご６を降ろしたり、はしご６に乗り移る邪魔になることはなく、しかも、それを簡素な機構で実現することができる。更に、屋外側の蓋パネル８を開くことで、このパネル８が地上に落ちてしまうこともない。また、屋内側から開口部５を通じて押すだけでよいから、屋外側の蓋パネル８を安全に開かせることができる。
【００２７】
しかる後、図２（イ）（ロ）に示すように、避難はしご６を、開口部５から、この開口部５の下縁部に掛け、地上へと降ろしていく。はしご６を腰壁３の上を越えさせる必要はなく、開口部５から楽に降ろしていくことができる。なお、はしご６は、その上端部が予め開口部５の下縁部に連結されていてもよいし、上端部を開口部５の下縁部に掛けるようにするものであってもよい。
【００２８】
避難は、バルコニー１から開口部５を通じてはしご６に乗り移ることで行うことができる。その際、掴み部９，９を掴んでからだを支えることで、安全にはしご６に乗り移ることができる。はしご６に乗り移るのに、腰壁３の上を越える必要はない。図示しないが、開口部５が上に開放されるものである場合は、はしご６を降ろしたり、開口部５を通じてはしご６に乗り移ったりするのを、楽にかつ安全に行うことができる。
【００２９】
こうして、上記のバルコニー１では、はしご６を降ろす準備を行うところから地上に避難するまでを、安全かつ容易に、そしてスピーディーに行っていくことができる。
【００３０】
以上に、本発明の実施形態を示したが、本発明はこれに限られるものではなく、発明思想を逸脱しない範囲で各種の変更が可能である。例えば、本発明では、避難はしごが腰壁の内部に収納されている構造となっていればよく、避難に際して、避難はしごを腰壁から取り出し、例えば腰壁３の上部にはしごを掛けて腰壁３の上を越えてはしごに乗り移る形式のものからなっていてもよい。あるいは、開口部５を通じては人の通過ができないようになっていて、開口部５から降ろしたはしごに腰壁３の上部を越えて乗り移る形式になっていてもよい。その場合には、腰壁３の屋外側の面に安全用の掴み部を備えさせておくと、安全にはしご６に乗り移ることができる。また、上記の実施形態では、避難はしご６や腰壁３、その開口部５、掴み部９の取付け位置などについて、特定の構造のものを示しているが、各種形態のものが採用されてよいことはいうまでもない。
【００３１】
【発明の効果】
本発明は、以上のとおりのものであるから、避難はしごの設置でバルコニーの床に突出を生じさせてしまったり、バルコニーが狭められてしまうことがなく、また、避難はしごを直接地上に降ろすことができて速く安全に避難することができ、更に、避難はしごを容易に地上に降ろすことができる。
【図面の簡単な説明】
【図１】実施形態のバルコニーを示すもので、図（イ）は屋内側から見た断面斜視図、図（ロ）は屋外側から見た断面斜視図である。
【図２】図（イ）ははしごを降ろした状態を屋外側から見た断面斜視図、図（ロ）は避難ルートを示す建物正面図である。
【図３】従来例を示すもので、図（イ−１）は第１従来例のバルコニーを示す断面斜視図、図（イ−２）はその避難ルートを示す建物正面図である。図（ロ）は第２従来例のバルコニーを示す断面斜視図である。
【符号の説明】
１…バルコニー
３…腰壁
５…開口部（はしご収納部）
６…避難はしご
７…屋内側の蓋パネル
８…屋外側の蓋パネル
９…掴み部
【図１】
0004592903.tif 000002
【図２】
0004592903.tif 000003
【図３】
0004592903.tif 000004